(57)【要約】【課題】組立て作業には、熟練を要することなく、極めて簡単にして、且迅速に組立てができるようにしたキーホルダー用金具を提供する。【解決手段】なす環吊下げ部材は、フラット状上面部と開口部を有する底部付き嵌挿部と、フラット状上面部の前方部と後方部に外側方に突出する前方鍔部と後方鍔部を形成し、底部付き嵌挿部を形成する囲み壁部の中、なす環もしくは止め環を嵌挿せしめるスリットを前方鍔部と前方鍔部より下方の前方囲み壁部と底部と後方鍔部より下方の後方囲み壁部に達するなす環もしくは止め環を嵌挿するスリットを複数形成し、対向する前方囲み壁部と後方囲み壁部と接続する左側囲み壁部と右側囲み壁部の内側方にビスの挿込み孔を形成すると共に、脚付き固定部材は、固定板部の表面に脚部を接続し、固定板部の前方端縁部と後方端縁部を内側方に折曲して、前方鍔部と後方鍔部を嵌挿する嵌挿部を夫々形成した。【選択図】    図１
0003133773.tif 000002
【実用新案登録請求の範囲】
【請求項１】
なす環もしくは止め環を吊下げるなす環吊下げ部材と、前記なす環吊下げ部材を固定する脚付き固定部材とからなるキーホルダー用金具において、
前記なす環吊下げ部材は、フラット状上面部と開口部を有する底部付き嵌挿部と、前記フラット状上面部の前方部と後方部に外側方に突出する前方鍔部と後方鍔部を形成し、前記底部付き嵌挿部を形成する囲み壁部の中、なす環もしくは止め環を嵌挿せしめるスリットを前記前方鍔部と前記前方鍔部より下方の前方囲み壁部と底部と前記後方鍔部より下方の前記後方囲み壁部に達するなす環もしくは止め環を嵌挿するスリットを複数形成し、前記対向する前方囲み壁部と後方囲み壁部と接続する左側囲み壁部と右側囲み壁部の内側方にビスの挿込み孔を形成すると共に、前記脚付き固定部材は、固定板部の表面に脚部を接続し、且前記固定板部の前方端縁部と後方端縁部を内側方に折曲して、前記前方鍔部と前記後方鍔部を嵌挿する嵌挿部を夫々形成し、前記折曲せしめられた前記嵌挿部を形成する前方端部と後方端部との間は、前記なす環吊下げ部材を形成する前記前方囲み壁部と前記後方囲み壁部が飛出できる間隙部とし、前記固定板部に前記挿込み孔と合致するビス孔を形成し、前記スリットになす環もしくは止め環を嵌挿した後、前記固定板部の嵌挿部に、前記なす環吊下げ部材の鍔部を嵌挿せしめ、前記ビスを前記固定板部のビス孔と前記挿込み孔とを合致して貫通し、前記両部材を組立てることを特徴とするキーホルダー用金具。
【請求項２】
前記底部付き嵌挿部は、縦断面が
0003133773.tif 000006
形状に形成することを特徴とする請求項１記載のキーホルダー用金具。
【請求項３】
前記スリットの幅員は、前記なす環もしくは止め環の頭部の幅員よりも狭いことを特徴とする請求項１又は同２記載のキーホルダー用金具。
【請求項４】
前記なす環吊下げ部材と、前記脚付き固定部材とを、種々の色彩の着色メッキ処理を施し形成することを特徴とする請求項１又は同２又は同３記載のキーホルダー用金具。
【考案の詳細な説明】
【技術分野】
【０００１】
本考案は、なす環もしくは止め環を吊下げるなす環吊下げ部材が、前記なす環吊下げ部材を固定する脚付き固定部材の左右両サイドの何れの方向からも挿込みが可能で且極めて容易に組立てることができると共に、着色メッキ処理を施してカラフルな製品として供給できるキーホルダー用金具の技術分野に関するものである。
【背景技術】
【０００２】
従来、キーホルダーとして特開２００２−８５２４４公開特許公報が開示されている。この公報の図１、２、３に図示されている止環６ａをベース部材１に接続するのに、筒状部２に複数形成のスリット２ａ内に止環６ｂを挿入した後、一端にレバー４を延設した掛止用ロッド３を前記筒状部２内に挿入して前記止環６ｂ内を貫通せしめ、前記止環６ａを前記筒状部２から離脱しないようにしたものである。
【０００３】
さらに、従来キーホルダー用金具として開示されている特開２００３−５２５２３公開特許公報の図面中、従来のキーホルダー用金具として、図５が開示されている。
【０００４】
前記図５の従来のキーホルダー用金具１００を構成するキー取付フック支持部材１２０の係止部１２１を嵌挿し抜けないようにするためには、前記スリット１３１を有する部分の部材を、丸くするための作業工程が必要であった。
【特許文献１】特開２００２−８５２４４公開特許公報
【特許文献２】特開２００３−５２５２３公開特許公報
【考案の開示】
【考案が解決しようとする課題】
【０００５】
従来開示の特開２００２−８５２４４公開特許公報のキーホルダーは、止め環６ｂをベース部材１の筒状部２から抜け出さないように一端部にレバー４を有する掛止用ロッド３を前記筒状部２に内嵌させていたので、フック部材６を接続する止め環６ｂを備えるのに、前記筒状部２を丸くする作業工程を要し、且別設するレバー４を有する掛止用ロッド３を前記筒状部２に内嵌する作業工程を要し前記止め環６ｂの接続が極めて煩雑であった。
【０００６】
さらに、従来開示の特開２００３−５２５２３号公開特許公報のキーホルダー用金具は、キー取付フック支持部材１２０の係止部１２１を有する部分の部材を丸くする作業工程を要し、極めて煩雑であった。
【０００７】
しかるに、本考案は、なす環もしくは止め環を吊下げるなす環吊下げ部材と、前記なす環吊下げ部材を固定する脚付き固定部材とを別設し、予め複数のなす環をなす環吊下げ部材に、各スリットを介して嵌挿しておき、なす環を吊下げた後は、前記脚付き固定部材の左右何れかの側方から挿込み、両部材の挿込みが終了したら、両部材のビス孔にビスを貫通させることによってキーホルダー用金具が組立てられるようにしたので、組立て作業には、熟練を要することなく、極めて簡単にして、且迅速に組立てができるようにした。
【０００８】
さらに、本考案は、前記なす環吊下げ部材と脚付き固定部材とを種々の色彩の着色メッキ処理を施すことを可能にしたので、色彩の異なる多種類の製品作りができると共に、購入者の注目をひき購買意欲を著しく高め販売促進に貢献できるようにした。
【課題を解決するための手段】
【０００９】
課題を解決するための手段として、請求項１記載の考案は、なす環もしくは止め環を吊下げるなす環吊下げ部材と、前記なす環吊下げ部材を固定する脚付き固定部材とからなるキーホルダー用金具において、前記なす環吊下げ部材は、フラット状上面部と開口部を有する底部付き嵌挿部と、前記フラット状上面部の前方部と後方部に外側方に突出する前方鍔部と後方鍔部を形成し、前記底部付き嵌挿部を形成する囲み壁部の中、なす環もしくは止め環を嵌挿せしめるスリットを前記前方鍔部と前記前方鍔部より下方の前方囲み壁部と底部と前記後方鍔部より下方の前記後方囲み壁部に達するなす環もしくは止め環を嵌挿するスリットを複数形成し、前記対向する前方囲み壁部と後方囲み壁部と接続する左側囲み壁部と右側囲み壁部の内側方にビスの挿込み孔を形成すると共に、前記脚付き固定部材は、固定板部の表面に脚部を接続し、且前記固定板部の前方端縁部と後方端縁部を内側方に折曲して、前記前方鍔部と前記後方鍔部を嵌挿する嵌挿部を夫々形成し、前記折曲せしめられた前記嵌挿部を形成する前方端部と後方端部との間は、前記なす環吊下げ部材を形成する前記前方囲み壁部と前記後方囲み壁部が飛出できる間隙部とし、前記固定板部に前記挿込み孔と合致するビス孔を形成し、前記スリットになす環もしくは止め環を嵌挿した後、前記固定板部の嵌挿部に、前記なす環吊下げ部材の鍔部を嵌挿せしめ、前記ビスを前記固定板部のビス孔と前記挿込み孔とを合致して貫通し、前記両部材を組立てることを特徴とするキーホルダー用金具である。
【００１０】
請求項２記載の考案は、前記底部付き嵌挿部は、縦断面が
0003133773.tif 000003
形状に形成することを特徴とする請求項１記載のキーホルダー用金具である。
【００１１】
請求項３記載の考案は、前記スリットの幅員は、前記なす環もしくは止め環の頭部の幅員よりも狭いことを特徴とする請求項１又は同２記載のキーホルダー用金具である。
【００１２】
請求項４記載の考案は、前記なす環吊下げ部材と、前記脚付き固定部材とを、種々の色彩の着色メッキ処理を施し形成することを特徴とする請求項１又は同２又は同３記載のキーホルダー用金具である。
【考案の効果】
【００１３】
本考案の請求項１記載の考案は、なす環もしくは止め環を吊下げるなす環吊下げ部材と、前記なす環吊下げ部材を固定する脚付き固定部材とからなるキーホルダー用金具において、前記なす環吊下げ部材は、フラット状上面部と開口部を有する底部付き嵌挿部と、前記フラット状上面部の前方部と後方部に外側方に突出する前方鍔部と後方鍔部を形成し、前記底部付き嵌挿部を形成する囲み壁部の中、なす環もしくは止め環を嵌挿せしめるスリットを前記前方鍔部と前記前方鍔部より下方の前方囲み壁部と底部と前記後方鍔部より下方の前記後方囲み壁部に達するなす環もしくは止め環を嵌挿するスリットを複数形成し、前記対向する前方囲み壁部と後方囲み壁部と接続する左側囲み壁部と右側囲み壁部の内側方にビスの挿込み孔を形成すると共に、前記脚付き固定部材は、固定板部の表面に脚部を接続し、且前記固定板部の前方端縁部と後方端縁部を内側方に折曲して、前記前方鍔部と前記後方鍔部を嵌挿する嵌挿部を夫々形成し、前記折曲せしめられた前記嵌挿部を形成する前方端部と後方端部との間は、前記なす環吊下げ部材を形成する前記前方囲み壁部と前記後方囲み壁部が飛出できる間隙部とし、前記固定板部に前記挿込み孔と合致するビス孔を形成し、前記スリットになす環もしくは止め環を嵌挿した後、前記固定板部の嵌挿部に、前記なす環吊下げ部材の鍔部を嵌挿せしめ、前記ビスを前記固定板部のビス孔と前記挿込み孔とを合致して貫通し、前記両部材を組立てるキーホルダー用金具なので、なす環を取付けたなす環吊下げ部材は、脚付き固定部材の左右サイドの何れかの端部から嵌挿させるだけで両部材が接続し、接続後はビス孔にビスを打込むことによって、両部材は極めて簡単且確実に組立てができる。
【００１４】
さらに、本考案は、前記のように両部材が簡単にして、且確実に組立てることができるので、熟練を不要とし、従来のキーホルダー用金具の組立てよりも、組立て作業効率を著しく高める利点がある。
【００１５】
さらに、請求項２記載の考案は、前記底部付き嵌挿部は、縦断面が
0003133773.tif 000004
形状に形成するキーホルダー用金具なので、前記請求項１記載の考案の効果と同じ効果を有している。
【００１６】
また、請求項３記載の考案は、前記スリットの幅員は、前記なす環もしくは止め環の頭部の幅員よりも狭いキーホルダー用金具なので、前記請求項１又は同２記載の考案の効果と同じ効果を有している。
【００１７】
さらに、請求項４記載の考案は、前記なす環吊下げ部材と、前記脚付き固定部材とを、種々の色彩の着色メッキ処理を施し形成するキーホルダー用金具なので、同一色彩同志のキーホルダー用金具として組立てたり、あるいは異色の色彩の前記部材同志を組立てることも可能にして、多種類の製品作りができる。
【００１８】
そのため、本考案のキーホルダー用金具は、看者をして購買意欲を従来品に比して著しく高め、且販売促進にもつながる等の利点を有している。
【００１９】
さらに本考案は、前記した請求項１又は同２又は同３記載の考案と同じ効果を併有している。
【考案を実施するための最良の形態】
【００２０】
本考案の請求項１〜４記載の考案に関する実施の形態は、共通しているので以下のとおり一括して説明する。
【００２１】
図面において、Ａは本考案キーホルダー用金具であり、同金具Ａはなす環もしくは止め環を吊下げるなす環吊下げ部材ａと、前記吊下げ部材ａを固定する脚付き固定部材ｂとからなる。
【００２２】
前記なす環吊下げ部材ａについて説明する。
【００２３】
このなす環吊下げ部材ａは、開口部２を有する底部３付き嵌挿部１と、前記嵌挿部１の開口部２の周辺にフラット状上面部４が形成されている（図１）。
【００２４】
さらに、前記フラット上面部４を形成する前方部５と後方部６の外側方に、突出する前方鍔部７と後方鍔部７ａを夫々形成する（図１）。
【００２５】
８は前記嵌挿部１を形成する前記上面部４の下方に延設する縦断面が
0003133773.tif 000005
形状の囲み壁部である。
【００２６】
前記嵌挿部１の底部３は、前記囲み壁部８の底部と同一である。
【００２７】
１０は囲み壁部８を形成する前方囲み壁部であり、１１は後方囲み壁部である。１２は前記囲み壁部８を形成する左側囲み壁部、１３は同じく右側囲み壁部である。
【００２８】
１４は前記前方鍔部７と、前記前方鍔部７と、前方鍔部７より下方の前方囲み壁部１０と、前記鍔部７と底部９と、前記後方鍔部７ａより下方の前記後方囲み壁部１１にかけて一体に形成するなす環ｃもしくは止め環（図示なし）用のスリット１４である。このスリット１４は、所定間隔おきに複数形成する。
【００２９】
１５は前記囲み壁部８を形成する対向状の前方囲み壁部１０と後方囲み壁部１１と接続する左側囲み壁部１２と右側壁部１３の内側方に形成したビス１４ａの挿込み孔である。
【００３０】
以上がなす環吊下げ部材ａの構成である。
【００３１】
つぎに、スリット１４の幅員は、前記なす環ｃを形成する頭部１６の幅員よりも若干狭く形成する。そのため、なす環ｃは、前記なす環吊下げ部材ａより不意に離脱しない。
【００３２】
さらに、前記なす環吊下げ部材ａと接続する脚付き固定部材ｂについて説明する。
【００３３】
この固定部材ｂは、通常金属板を使用するが限定しない。
【００３４】
前記固定部材ｂは、前記なす環吊下げ部材ａの平面形状と同形状をした固定板部１７の表面１８に、図面図示の脚部１９を接続する（図１、２）。
【００３５】
そして、前記固定板部１７の前方端縁部２０と後方端縁部２１を夫々延設し内側方に対向状に折曲して、前記前方鍔部７と後方鍔部７ａとが嵌挿可能な嵌挿部２２を夫々形成する。
【００３６】
前記嵌挿部２２を形成する前方端部２３と後方端部２４との間には間隙部２５が形成される。
【００３７】
前記間隙部２５は、前記前方囲み壁部１０と後方囲み壁部１１が飛出できる形状とする。
【００３８】
以上が固定部材ｂの構成である。
【００３９】
２６は前記固定板部１７に形成のビス１４ａを挿入するビス孔である。
【００４０】
前記両部材ａ、ｂは、種々の色彩の着色メッキ処理を施すことができる。
【００４１】
前記両部材ａ、ｂの組立てにつき説明する。
【００４２】
前記スリット１４になす環ｃを嵌挿した後、前記固定板部１７の嵌挿部２２、２２に、前記なす環吊下げ部材ａの鍔部７を嵌挿せしめる。
【００４３】
そして、前記固定板部１７のビス孔２６と、前記挿込み孔１５とを合致せしめて、ビス１４ａを貫通する。
【００４４】
以上が両部材ａ、ｂの組立てである。
【００４５】
前記脚部１９は、キーカバー２９に取着するときは、図４に図示のとおり、組立て時にはカットして、止め板２７の孔２８に貫通し折曲する。２９は本考案のキーホルダー用金具Ａを取付けたキーカバーである。３０はなす環ｃに吊下げたキーである。
【図面の簡単な説明】
【００４６】
【図１】本考案キーホルダー用金具の組立て前の斜視図である。
【００４７】
【図２】同金具の正面縦断面図である。
【００４８】
【図３】同金具の側面縦断面図である。
【００４９】
【図４】同金具の組立て時の底面図である。
【００５０】
【図５】同金具をキーカバーに取着せしめた一部切欠正面図である。
【符号の説明】
【００５１】
Ａ      キーホルダー用金具
ａ      なす環吊下げ部材
ｂ      脚付き固定部材
ｃ      なす環
１      嵌挿部
２      開口部
３      底部
４      上面部
５      前方部
６      後方部
７      前方鍔部
７ａ    後方鍔部
８      囲み壁部
１０    前方囲み壁部
１２    左側囲み壁部
１３    右側囲み壁部
１４    スリット
１４ａ  ビス
１５    挿込み孔
１６    頭部
１７    固定板部
１８    表面
１９    脚部
２０    前方端縁部
２１    後方端縁部
２２    嵌挿部
２３    前方端部
２４    後方端部
２５    間隙部
２６    ビス孔
２７    止め板
２８    孔
２９    キーカバー
３０    キー
【図１】
0003133773.tif 000007
【図２】
0003133773.tif 000008
【図３】
0003133773.tif 000009
【図４】
0003133773.tif 000010
【図５】
0003133773.tif 000011
【手続補正書】
【提出日】平成19年5月23日(2007.5.23)
【手続補正１】
【補正対象書類名】実用新案登録請求の範囲
【補正対象項目名】全文
【補正方法】変更
【補正の内容】
【実用新案登録請求の範囲】
【請求項１】
なす環もしくは止め環を吊下げるなす環吊下げ部材と、前記なす環吊下げ部材を固定する脚付き固定部材とからなるキーホルダー用金具において、
前記なす環吊下げ部材は、フラット状上面部と開口部を有する底部付き嵌挿部と、前記フラット状上面部の前方部と後方部に外側方に突出する前方鍔部と後方鍔部を形成し、前記底部付き嵌挿部を形成する囲み壁部の中、前記前方鍔部と前記前方鍔部より下方の前方囲み壁部と前記嵌挿部の底部と前記後方鍔部より下方の後方囲み壁部にかけてなす環もしくは止め環を嵌挿するスリットを複数形成し、前記対向する前方囲み壁部と後方囲み壁部と接続する左側囲み壁部と右側囲み壁部の内側方にビスの挿込み孔を形成すると共に、前記脚付き固定部材は、固定板部の表面に脚部を接続し、且前記固定板部の前方端縁部と後方端縁部を内側方に折曲して、前記前方鍔部と前記後方鍔部を嵌挿する嵌挿部を夫々形成し、前記折曲せしめられた前記嵌挿部を形成する前方端部と後方端部との間は、前記なす環吊下げ部材を形成する前記前方囲み壁部と前記後方囲み壁部が飛出できる間隙部とし、前記固定板部に前記挿込み孔と合致するビス孔を形成し、前記スリットになす環もしくは止め環を嵌挿した後、前記固定板部の嵌挿部に、前記なす環吊下げ部材の鍔部を嵌挿せしめ、前記ビスを前記固定板部のビス孔と前記挿込み孔とを合致して貫通し、前記両部材を組立てることを特徴とするキーホルダー用金具。
【請求項２】
前記底部付き嵌挿部は、縦断面が凹形状に形成することを特徴とする請求項１記載のキーホルダー用金具。
【請求項３】
前記スリットの幅員は、前記なす環もしくは止め環の頭部の幅員よりも狭いことを特徴とする請求項１又は同２記載のキーホルダー用金具。
【請求項４】
前記なす環吊下げ部材と、前記脚付き固定部材とを、種々の色彩の着色メッキ処理を施し形成することを特徴とする請求項１又は同２又は同３記載のキーホルダー用金具。
【手続補正２】
【補正対象書類名】明細書
【補正対象項目名】全文
【補正方法】変更
【補正の内容】
【考案の詳細な説明】
【技術分野】
【０００１】
本考案は、なす環もしくは止め環を吊下げるなす環吊下げ部材が、前記なす環吊下げ部材を固定する脚付き固定部材の左右両サイドの何れの方向からも挿込みが可能で且極めて容易に組立てることができると共に、着色メッキ処理を施してカラフルな製品として供給できるキーホルダー用金具の技術分野に関するものである。
【背景技術】
【０００２】
従来、キーホルダーとして特開２００２−８５２４４公開特許公報が開示されている。この公報の図１、２、３に図示されている止環６ａをベース部材１に接続するのに、筒状部２に複数形成のスリット２ａ内に止環６ｂを挿入した後、一端にレバー４を延設した掛止用ロッド３を前記筒状部２内に挿入して前記止環６ｂ内を貫通せしめ、前記止環６ａを前記筒状部２から離脱しないようにしたものである。
【０００３】
さらに、従来キーホルダー用金具として開示されている特開２００３−５２５２３公開特許公報の図面中、従来のキーホルダー用金具として、図５が開示されている。
【０００４】
前記図５の従来のキーホルダー用金具１００を構成するキー取付フック支持部材１２０の係止部１２１を嵌挿し抜けないようにするためには、前記スリット１３１を有する部分の部材を、丸くするための作業工程が必要であった。
【特許文献１】特開２００２−８５２４４公開特許公報
【特許文献２】特開２００３−５２５２３公開特許公報
【考案の開示】
【考案が解決しようとする課題】
【０００５】
従来開示の特開２００２−８５２４４公開特許公報のキーホルダーは、止め環６ｂをベース部材１の筒状部２から抜け出さないように一端部にレバー４を有する掛止用ロッド３を前記筒状部２に内嵌させていたので、フック部材６を接続する止め環６ｂを備えるのに、前記筒状部２を丸くする作業工程を要し、且別設するレバー４を有する掛止用ロッド３を前記筒状部２に内嵌する作業工程を要し前記止め環６ｂの接続が極めて煩雑であった。
【０００６】
さらに、従来開示の特開２００３−５２５２３号公開特許公報のキーホルダー用金具は、キー取付フック支持部材１２０の係止部１２１を有する部分の部材を丸くする作業工程を要し、極めて煩雑であった。
【０００７】
しかるに、本考案は、なす環もしくは止め環を吊下げるなす環吊下げ部材と、前記なす環吊下げ部材を固定する脚付き固定部材とを別設し、予め複数のなす環をなす環吊下げ部材に、各スリットを介して嵌挿しておき、なす環を吊下げた後は、前記脚付き固定部材の左右何れかの側方から挿込み、両部材の挿込みが終了したら、両部材のビス孔にビスを貫通させることによってキーホルダー用金具が組立てられるようにしたので、組立て作業には、熟練を要することなく、極めて簡単にして、且迅速に組立てができるようにした。
【０００８】
さらに、本考案は、前記なす環吊下げ部材と脚付き固定部材とを種々の色彩の着色メッキ処理を施すことを可能にしたので、色彩の異なる多種類の製品作りができると共に、購入者の注目をひき購買意欲を著しく高め販売促進に貢献できるようにした。
【課題を解決するための手段】
【０００９】
課題を解決するための手段として、請求項１記載の考案は、なす環もしくは止め環を吊下げるなす環吊下げ部材と、前記なす環吊下げ部材を固定する脚付き固定部材とからなるキーホルダー用金具において、前記なす環吊下げ部材は、フラット状上面部と開口部を有する底部付き嵌挿部と、前記フラット状上面部の前方部と後方部に外側方に突出する前方鍔部と後方鍔部を形成し、前記底部付き嵌挿部を形成する囲み壁部の中、前記前方鍔部と前記前方鍔部より下方の前方囲み壁部と前記嵌挿部の底部と前記後方鍔部より下方の後方囲み壁部にかけてなす環もしくは止め環を嵌挿するスリットを複数形成し、前記対向する前方囲み壁部と後方囲み壁部と接続する左側囲み壁部と右側囲み壁部の内側方にビスの挿込み孔を形成すると共に、前記脚付き固定部材は、固定板部の表面に脚部を接続し、且前記固定板部の前方端縁部と後方端縁部を内側方に折曲して、前記前方鍔部と前記後方鍔部を嵌挿する嵌挿部を夫々形成し、前記折曲せしめられた前記嵌挿部を形成する前方端部と後方端部との間は、前記なす環吊下げ部材を形成する前記前方囲み壁部と前記後方囲み壁部が飛出できる間隙部とし、前記固定板部に前記挿込み孔と合致するビス孔を形成し、前記スリットになす環もしくは止め環を嵌挿した後、前記固定板部の嵌挿部に、前記なす環吊下げ部材の鍔部を嵌挿せしめ、前記ビスを前記固定板部のビス孔と前記挿込み孔とを合致して貫通し、前記両部材を組立てることを特徴とするキーホルダー用金である。
【００１０】
請求項２記載の考案は、前記底部付き嵌挿部は、縦断面が凹形状に形成することを特徴とする請求項１記載のキーホルダー用金具である。
【００１１】
請求項３記載の考案は、前記スリットの幅員は、前記なす環もしくは止め環の頭部の幅員よりも狭いことを特徴とする請求項１又は同２記載のキーホルダー用金具である。
【００１２】
請求項４記載の考案は、前記なす環吊下げ部材と、前記脚付き固定部材とを、種々の色彩の着色メッキ処理を施し形成することを特徴とする請求項１又は同２又は同３記載のキーホルダー用金具である。
【考案の効果】
【００１３】
本考案の請求項１記載の考案は、なす環もしくは止め環を吊下げるなす環吊下げ部材と、前記なす環吊下げ部材を固定する脚付き固定部材とからなるキーホルダー用金具において、前記なす環吊下げ部材は、フラット状上面部と開口部を有する底部付き嵌挿部と、前記フラット状上面部の前方部と後方部に外側方に突出する前方鍔部と後方鍔部を形成し、前記底部付き嵌挿部を形成する囲み壁部の中、前記前方鍔部と前記前方鍔部より下方の前方囲み壁部と前記嵌挿部の底部と前記後方鍔部より下方の後方囲み壁部にかけてなす環もしくは止め環を嵌挿するスリットを複数形成し、前記対向する前方囲み壁部と後方囲み壁部と接続する左側囲み壁部と右側囲み壁部の内側方にビスの挿込み孔を形成すると共に、前記脚付き固定部材は、固定板部の表面に脚部を接続し、且前記固定板部の前方端縁部と後方端縁部を内側方に折曲して、前記前方鍔部と前記後方鍔部を嵌挿する嵌挿部を夫々形成し、前記折曲せしめられた前記嵌挿部を形成する前方端部と後方端部との間は、前記なす環吊下げ部材を形成する前記前方囲み壁部と前記後方囲み壁部が飛出できる間隙部とし、前記固定板部に前記挿込み孔と合致するビス孔を形成し、前記スリットになす環もしくは止め環を嵌挿した後、前記固定板部の嵌挿部に、前記なす環吊下げ部材の鍔部を嵌挿せしめ、前記ビスを前記固定板部のビス孔と前記挿込み孔とを合致して貫通し、前記両部材を組立てることを特徴とするキーホルダー用金なので、なす環を取付けたなす環吊下げ部材は、脚付き固定部材の左右サイドの何れかの端部から嵌挿させるだけで両部材が接続し、接続後はビス孔にビスを打込むことによって、両部材は極めて簡単且確実に組立てができる。
【００１４】
さらに、本考案は、前記のように両部材が簡単にして、且確実に組立てることができるので、熟練を不要とし、従来のキーホルダー用金具の組立てよりも、組立て作業効率を著しく高める利点がある。
【００１５】
さらに、請求項２記載の考案は、前記底部付き嵌挿部は、縦断面が凹形状に形成するキーホルダー用金具なので、前記請求項１記載の考案の効果と同じ効果を有している。
【００１６】
また、請求項３記載の考案は、前記スリットの幅員は、前記なす環もしくは止め環の頭部の幅員よりも狭いキーホルダー用金具なので、前記請求項１又は同２記載の考案の効果と同じ効果を有している。
【００１７】
さらに、請求項４記載の考案は、前記なす環吊下げ部材と、前記脚付き固定部材とを、種々の色彩の着色メッキ処理を施し形成するキーホルダー用金具なので、同一色彩同志のキーホルダー用金具として組立てたり、あるいは異色の色彩の前記部材同志を組立てることも可能にして、多種類の製品作りができる。
【００１８】
そのため、本考案のキーホルダー用金具は、看者をして購買意欲を従来品に比して著しく高め、且販売促進にもつながる等の利点を有している。
【００１９】
さらに本考案は、前記した請求項１又は同２又は同３記載の考案と同じ効果を併有している。
【考案を実施するための最良の形態】
【００２０】
本考案の請求項１〜４記載の考案に関する実施の形態は、共通しているので以下のとおり一括して説明する。
【００２１】
図面において、Ａは本考案キーホルダー用金具であり、同金具Ａはなす環もしくは止め環を吊下げるなす環吊下げ部材ａと、前記吊下げ部材ａを固定する脚付き固定部材ｂとからなる。
【００２２】
前記なす環吊下げ部材ａについて説明する。
【００２３】
このなす環吊下げ部材ａは、開口部２を有する底部３付き嵌挿部１と、前記嵌挿部１の開口部２の周辺にフラット状上面部４が形成されている（図１）。
【００２４】
さらに、前記フラット上面部４を形成する前方部５と後方部６の外側方に、突出する前方鍔部７と後方鍔部７ａを夫々形成する（図１）。
【００２５】
８は前記嵌挿部１を形成する前記上面部４の下方に延設する縦断面が凹形状の囲み壁部である。
【００２６】
前記嵌挿部１の底部３は、前記囲み壁部８の底部と同一である。
【００２７】
１０は囲み壁部８を形成する前方囲み壁部であり、１１は後方囲み壁部である。１２は前記囲み壁部８を形成する左側囲み壁部、１３は同じく右側囲み壁部である。
【００２８】
１４は前記前方鍔部７と、前記前方鍔部７より下方の前方囲み壁部１０と、前記嵌挿部１の底部３と、前記後方鍔部７ａより下方の前記後方囲み壁部１１にかけて一体に形成するなす環ｃもしくは止め環（図示なし）用のスリット１４である。このスリット１４は、所定間隔おきに複数形成する。
【００２９】
１５は前記囲み壁部８を形成する対向状の前方囲み壁部１０と後方囲み壁部１１と接続する左側囲み壁部１２と右側壁部１３の内側方に形成したビス１４ａの挿込み孔である。
【００３０】
以上がなす環吊下げ部材ａの構成である。
【００３１】
つぎに、スリット１４の幅員は、前記なす環ｃを形成する頭部１６の幅員よりも若干狭く形成する。そのため、なす環ｃは、前記なす環吊下げ部材ａより不意に離脱しない。
【００３２】
さらに、前記なす環吊下げ部材ａと接続する脚付き固定部材ｂについて説明する。
【００３３】
この固定部材ｂは、通常金属板を使用するが限定しない。
【００３４】
前記固定部材ｂは、前記なす環吊下げ部材ａの平面形状と同形状をした固定板部１７の表面１８に、図面図示の脚部１９を接続する（図１、２）。
【００３５】
そして、前記固定板部１７の前方端縁部２０と後方端縁部２１を夫々延設し内側方に対向状に折曲して、前記前方鍔部７と後方鍔部７ａとが嵌挿可能な嵌挿部２２を夫々形成する。
【００３６】
前記嵌挿部２２を形成する前方端部２３と後方端部２４との間には間隙部２５が形成される。
【００３７】
前記間隙部２５は、前記前方囲み壁部１０と後方囲み壁部１１が飛出できる形状とする。
【００３８】
以上が固定部材ｂの構成である。
【００３９】
２６は前記固定板部１７に形成のビス１４ａを挿入するビス孔である。
【００４０】
前記両部材ａ、ｂは、種々の色彩の着色メッキ処理を施すことができる。
【００４１】
前記両部材ａ、ｂの組立てにつき説明する。
【００４２】
前記スリット１４になす環ｃを嵌挿した後、前記固定板部１７の嵌挿部２２、２２に、前記なす環吊下げ部材ａの鍔部７を嵌挿せしめる。
【００４３】
そして、前記固定板部１７のビス孔２６と、前記挿込み孔１５とを合致せしめて、ビス１４ａを貫通する。
【００４４】
以上が両部材ａ、ｂの組立てである。
【００４５】
前記脚部１９は、キーカバー２９に取着するときは、図４に図示のとおり、組立て時にはカットして、止め板２７の孔２８に貫通し折曲する。２９は本考案のキーホルダー用金具Ａを取付けたキーカバーである。３０はなす環ｃに吊下げたキーである。
【図面の簡単な説明】
【００４６】
【図１】本考案キーホルダー用金具の組立て前の斜視図である。
【００４７】
【図２】同金具の正面縦断面図である。
【００４８】
【図３】同金具の側面縦断面図である。
【００４９】
【図４】同金具の組立て時の底面図である。
【００５０】
【図５】同金具をキーカバーに取着せしめた一部切欠正面図である。
【符号の説明】
【００５１】
Ａ      キーホルダー用金具
ａ      なす環吊下げ部材
ｂ      脚付き固定部材
ｃ      なす環
１      嵌挿部
２      開口部
３      底部
４      上面部
５      前方部
６      後方部
７      前方鍔部
７ａ    後方鍔部
８      囲み壁部
１０    前方囲み壁部
１１    後方囲み壁部
１２    左側囲み壁部
１３    右側囲み壁部
１４    スリット
１４ａ  ビス
１５    挿込み孔
１６    頭部
１７    固定板部
１８    表面
１９    脚部
２０    前方端縁部
２１    後方端縁部
２２    嵌挿部
２３    前方端部
２４    後方端部
２５    間隙部
２６    ビス孔
２７    止め板
２８    孔
２９    キーカバー
３０    キー